(57)【要約】      （修正有）【課題】タッチパネル上に液晶保護シートが貼設されても正確な接触検知が可能な端末装置を実現する。【解決手段】タッチパネル上に貼設した液晶保護シートの種別を選択すると、選択した液晶保護シートの種類に応じた近接センサ判定閾値（検出閾値および非検出閾値）を閾値判定テーブルから読み出し、読み出した近接センサ判定閾値（検出閾値および非検出閾値）と近接センサ部により検出される受光量（受光部の出力レベル）とを比較判定して接触／非接触検知する。【選択図】図５
2013206032.tif 000002
【特許請求の範囲】
【請求項１】
タッチパネルに近接する物体を赤外線方式で検出する検出手段と、
前記タッチパネルに貼設される保護シートの属性毎の判定閾値を記憶する記憶手段と、
前記タッチパネルに貼設した保護シートの属性を選択する選択手段と、
前記選択手段により選択された保護シートの属性に対応した判定閾値を、前記記憶手段から読み出し、読み出した判定閾値と前記検出手段の検出出力とを比較して接触／非接触検知する検知手段と
を具備することを特徴とする端末装置。
【請求項２】
前記記憶手段が、前記タッチパネルに貼設される保護シートの種別毎の判定閾値を記憶し、
前記選択手段は、前記タッチパネルに貼設した保護シートの種別を選択し、
前記検知手段は、前記選択手段により選択された保護シートの種別に対応した判定閾値を、前記記憶手段から読み出し、読み出した判定閾値と前記検出手段の検出出力とを比較して接触／非接触検知することを特徴とする請求項１記載の端末装置。
【請求項３】
前記記憶手段は、前記タッチパネルに貼設される保護シートの厚さ毎の判定閾値を記憶し、
前記選択手段は、前記タッチパネルに貼設した保護シートの厚さを選択し、
前記検知手段は、前記選択手段により選択された保護シートの厚さに対応した判定閾値を、前記記憶手段から読み出し、読み出した判定閾値と前記検出手段の検出出力とを比較して接触／非接触検知することを特徴とする請求項１記載の端末装置。
【請求項４】
前記記憶手段は、前記タッチパネルに貼設される保護シートの色毎の判定閾値を記憶し、
前記選択手段は、前記タッチパネルに貼設した保護シートの厚さを選択し、
前記検知手段は、前記選択手段により選択された保護シートの厚さに対応した判定閾値を、前記記憶手段から読み出し、読み出した判定閾値と前記検出手段の検出出力とを比較して接触／非接触検知することを特徴とする請求項１記載の端末装置。
【請求項５】
前記記憶手段に記憶される判定閾値は、接触の有無を判定する為の第１の判定閾値と、非接触の有無を判定する為の第２の判定閾値とから構成されることを特徴とする請求項１乃至４の何れかに記載の端末装置。
【請求項６】
前記記憶手段は、前記タッチパネルに保護シートが貼設されていない場合の初期判定閾値を記憶し、
前記タッチパネルに保護シートが貼設されているか否かを判別する判別手段を更に備え、
前記判別手段により前記タッチパネルに保護シートが貼設されていないと判別された場合、前記検知手段は、前記記憶手段から読み出した初期判定閾値と前記検出手段の検出出力とを比較して接触／非接触検知することを特徴とする請求項１乃至５の何れかに記載の端末装置。
【請求項７】
タッチパネルに近接する物体を赤外線方式で検出する検出過程と、
前記タッチパネルに貼設した保護シートの属性を選択する選択過程と、
予め前記タッチパネルに貼設される保護シートの属性毎の判定閾値を記憶しておき、その中から前記選択過程で選択された保護シートの属性に対応した判定閾値を読み出し、読み出した判定閾値と前記検出過程で得られる検出出力とを比較して接触／非接触検知する検知過程と
を具備することを特徴とする近接センサ感度調整方法。
【請求項８】
コンピュータに、
タッチパネルに近接する物体を赤外線方式で検出する検出ステップと、
前記タッチパネルに貼設した保護シートの属性を選択する選択ステップと、
予め前記タッチパネルに貼設される保護シートの属性毎の判定閾値を記憶しておき、その中から前記選択ステップで選択された保護シートの属性に対応した判定閾値を読み出し、読み出した判定閾値と前記検出ステップで得られる検出出力とを比較して接触／非接触検知する検知ステップと
を実行させることを特徴とするプログラム。
【発明の詳細な説明】
【技術分野】
【０００１】
本発明は、意図しないタッチパネル操作を防止する端末装置、近接センサ感度調整方法およびプログラムに関する。
【背景技術】
【０００２】
近年、スマートフォンと呼ばれ、ユーザインタフェースにタッチパネルを備えた多機能型の端末装置が普及しつつある。この種の端末装置には、例えば通話時にユーザの顔や耳がタッチパネルに触れても誤入力を発生させないように、タッチパネル近傍に近接センサを設け、当該近接センサの検出信号に基づいてタッチパネルをオンオフ制御することが知られており、こうした技術については例えば特許文献１に開示されている。
【先行技術文献】
【特許文献】
【０００３】
【特許文献１】特開２０１１−６１３１６号公報
【発明の概要】
【発明が解決しようとする課題】
【０００４】
ところで、上記特許文献１に開示される近接センサの主な検出方法としては、小型・低消費電力タイプの赤外線方式が挙げられ、赤外線を周囲へ照射して接近する物体からの反射光を受光部にて測定し、その受光量（受光部の出力レベル）と予め設定される判定閾値とを比較し、受光量≧判定閾値となった場合に、タッチパネルに接触する物体があると判定する。
【０００５】
上記近接センサの判定閾値は、製造工程検査の中で調整し、初期値として端末装置の内蔵メモリにファクトリープリセットされるが、その初期値はタッチパネル上に液晶保護シートが貼られていない状態で検査して取得したものとなる。一方、液晶保護シートは、通常、端末装置製造メーカとは別のメーカが提供していることが多く、近接センサ等の位置を把握せずに製造されている。
【０００６】
したがって、ユーザが端末装置を購入後に、そうした液晶保護シートをタッチパネル上に貼設すると、赤外線検出する近接センサの開口部が覆われてしまう。そうすると、図８に図示する一例から明かなように、受光量の低下に起因した近接センサの感度低下に伴って判定閾値が変化する為、正確な接触検知を行うことが出来ない、という問題が生じる。
【０００７】
なお、図８は、保護シートを貼設していない場合の接触／非接触検知特性および反射防止用の液晶保護シートを貼設した場合の接触／非接触検知特性の一例を示すグラフである。このグラフから明かなように、液晶保護シートを貼っていない状態で設計（２ｃｍで接触検出、２．５ｃｍで非接触検出）すると、その検出閾値（接触を検出する判定閾値）はグラフから「０ｘＹ１」、非検出閾値（非接触を検出する判定閾値）は「０ｘＹ２」となる。これに対し、反射防止用の液晶保護シートを貼設した場合には、検出閾値「０ｘＹ１」に対応する接触検出距離が「２．８ｃｍ」、非検出閾値「０ｘＹ２」に対応する非接触検出距離が「２０ｃｍ」となり、近接センサの感度低下に伴う判定閾値の変化により正確な接触検知が出来なくなることが判る。
【０００８】
本発明は、このような事情に鑑みてなされたもので、タッチパネル上に液晶保護シートが貼設されても正確な接触検知を行うことができる端末装置、近接センサ感度調整方法およびプログラムを提供することを目的としている。
【課題を解決するための手段】
【０００９】
上記目的を達成するため、本発明の端末装置では、タッチパネルに近接する物体を赤外線方式で検出する検出手段と、前記タッチパネルに貼設される保護シートの属性毎の判定閾値を記憶する記憶手段と、前記タッチパネルに貼設した保護シートの属性を選択する選択手段と、前記選択手段により選択された保護シートの属性に対応した判定閾値を、前記記憶手段から読み出し、読み出した判定閾値と前記検出手段の検出出力とを比較して接触／非接触検知する検知手段とを具備することを特徴とする。
【００１０】
また、本発明の近接センサ感度調整方法では、タッチパネルに近接する物体を赤外線方式で検出する検出過程と、前記タッチパネルに貼設した保護シートの属性を選択する選択過程と、予め前記タッチパネルに貼設される保護シートの属性毎の判定閾値を記憶しておき、その中から前記選択過程で選択された保護シートの属性に対応した判定閾値を読み出し、読み出した判定閾値と前記検出過程で得られる検出出力とを比較して接触／非接触検知する検知過程とを具備することを特徴とする。
【００１１】
また、本発明のプログラムでは、コンピュータに、タッチパネルに近接する物体を赤外線方式で検出する検出ステップと、前記タッチパネルに貼設した保護シートの属性を選択する選択ステップと、予め前記タッチパネルに貼設される保護シートの属性毎の判定閾値を記憶しておき、その中から前記選択ステップで選択された保護シートの属性に対応した判定閾値を読み出し、読み出した判定閾値と前記検出ステップで得られる検出出力とを比較して接触／非接触検知する検知ステップとを実行させることを特徴とする。
【発明の効果】
【００１２】
本発明では、タッチパネル上に液晶保護シートが貼設されても正確な接触検知を行うことができる。
【図面の簡単な説明】
【００１３】
【図１】第１実施形態による端末装置１００の外観を示す正面図である。
【図２】第１実施形態による端末装置１００の電気的構成を示すブロック図である。
【図３】ＲＡＭ１２に格納される判定閾値テーブルＨＴの一構成例を示す図である。
【図４】判定閾値テーブルＨＴに格納される検出閾値および非検出閾値の測定結果を示すグラフである。
【図５】第１実施形態による近接センサ感度調整設定処理の動作を示すフローチャートである。
【図６】第２実施形態による近接センサ感度調整設定処理の動作を示すフローチャートである。
【図７】第３実施形態による近接センサ感度調整設定処理の動作を示すフローチャートである。
【図８】本発明が解決しようとする課題を説明する為のグラフである。
【発明を実施するための形態】
【００１４】
以下、図面を参照して本発明の実施形態について説明する。
［第１実施形態］
（１）外観
図１は、第１実施形態による携帯端末１００の外観を示す正面図である。略直方体形状の筐体からなる携帯端末１００は、その正面側に表示部１３を構成するカラー液晶パネルと、操作部１４を構成するタッチ操作部１４ａ（タッチパネル）とを積層形成して配設し、さらにタッチ操作部１４ａ（タッチパネル）の保護ガラス上には液晶保護シートＰＳが貼設される。表示部１３の上部には音声通話用のスピーカＳＰおよび近接センサ１７が設けられ、一方、表示部１３の下部には音声通話用のマイクＭＩＣおよび操作部１４を構成するキー操作部１４ｂが設けられる。
【００１５】
（２）電気的構成
次に、図２は、第１実施形態による端末装置１００の電気的構成を示すブロック図である。この図において、制御部１０は、ＣＰＵおよび入出力回路などから構成され、操作部１４（後述する）から供給されるイベントに応じて装置各部の動作を制御する。本発明の要旨に係わる制御部１０の特徴的な処理動作については追って詳述する。
【００１６】
ＲＯＭ１１は、プログラムエリアおよびデータエリアを備える。ＲＯＭ１０１のプログラムエリアには、制御部１０により実行される各種プログラムが記憶される。ここで言う各種プログラムとは、後述する近接センサ感度調整設定処理を含む。ＲＯＭ１０のデータエリアには、所定のプログラムにより参照される制御データの他、例えば待受画面などの各種表示画面を形成する画面データが格納される。
【００１７】
ＲＡＭ１２は、ワークエリア、ユーザエリアおよびデータエリアを備える。ＲＡＭ１２のワークエリアには、制御部１０の処理に用いる各種レジスタ・フラグデータが一時記憶される。このワークエリアには、後述する判定閾値テーブルＨＴから読み出される検出閾値および非検出閾値が近接センサ感度データとして保持される。ＲＡＭ１２のユーザエリアには、送受信メールやアドレス帳などの各種ユーザデータが記憶される。ＲＡＭ１２のデータエリアには、図３に図示する判定閾値テーブルＨＴが記憶される。
【００１８】
判定閾値テーブルＨＴは、タッチパネル上に貼設される液晶保護シートの種別毎の検出閾値（接触を検出する判定閾値）と非検出閾値（非接触を検出する判定閾値）とを記憶するデータテーブルである。具体的には、タッチパネル上に液晶保護シートが貼設されていない場合には、判定閾値テーブルＨＴから「初期値」の「検出閾値０ｘＹ１」および「非検出閾値０ｘＹ２」が読み出される。また、例えばタッチパネル上に貼設される液晶保護シートの種別が「光沢」の場合には、「検出閾値０ｘＡ１」および「非検出閾値０ｘＡ２」が読み出される。
【００１９】
判定閾値テーブルＨＴに記憶される検出閾値および非検出閾値は、実際の端末装置１００のタッチパネル上に各種類の液晶保護シートを貼設した状態で接触／非接触検知特性試験を行った結果から得られる。
【００２０】
具体的には、図４に図示する一例のように、端末装置１００の正面に配設される近接センサ部１７の開口部（図１参照）に対向して２ｃｍ離間した位置に検出対象を配置した場合に、当該近接センサ部１７により検出される反射光の受光量を測定し、その結果を検出閾値（接触を検出する判定閾値）として取得し、同様に近接センサ部１７の開口部に対向して２．５ｃｍ離間した位置に検出対象を配置した場合に、当該近接センサ部１７により検出される反射光の受光量を測定し、その結果を非検出閾値（非接触を検出する判定閾値）として取得する。
【００２１】
なお、本実施形態では、検出境界付近で検出/非検出がばたつかないようにする為、判定閾値テーブルＨＴに記憶される検出閾値および非検出閾値にヒステリシス幅を持たせている。また、第１実施形態では、上述したように、液晶保護シートの種別として「初期値（液晶保護シート無し）」、「光沢」、「反射防止」、「指紋防止」、「覗き見防止」および「その他」の各検出閾値／非検出閾値を判定閾値テーブルＨＴに記憶するようにしたが、これに限らず、後述する第２〜第３実施形態で述べるように、液晶保護シートの「厚み」や「色」毎の検出閾値／非検出閾値を判定閾値テーブルＨＴに記憶することも可能である。
【００２２】
図２に戻り、構成の説明を進める。図２において、表示部１３は、カラー液晶パネルおよび表示ドライバから構成され、制御部１０の制御の下に、待受画面など各種の操作画面を表示する。また、表示部１３の表示画面上には、操作部１４の構成要素となるタッチ操作部１４ａ（タッチパネル）が設けられる。操作部１４は、タッチ操作部１４ａとキー操作部１４ｂとから構成される。タッチ操作部１４ａは、タッチパネルのタッチ操作に応じた出力（操作イベント）を発生する。キー操作部１４ｂは、キー操作に応じたイベントを発生して制御部１０に出力する。
【００２３】
無線通信送受信部１５は、データ通信時には制御部１０の制御の下に、アンテナＡＮＴ１を介して基地局（不図示）とデータ授受を行い、音声通話時にはアンテナＡＮＴ１を介して受信復調した音声データを制御部１０に出力する一方、制御部１０から供給される音声データを変調して得た送信信号を高周波増幅してアンテナＡＮＴ１から送出する。音声信号処理部１６は、スピーカＳＰおよびマイクＭＩＣを備え、制御部１０から供給される音声データを音声信号にＤ／Ａ変換してスピーカＳＰから発音させたり、マイクＭＩＣから出力される音声信号を音声データにＡ／Ｄ変換して制御部１０に供給する。
【００２４】
近接センサ部１７は、発光部（赤外ＬＥＤ）および受光部（ＰＤ）を備える非接触方式で構成され、発光部から赤外線を周囲へ照射して接近する物体からの反射光を受光部で受光量として検出する。制御部１０では、近接センサ部１７が検出した受光量（受光部の出力レベル）と、前述した判定閾値テーブルＨＴから読み出され、ＲＡＭ１２のワークエリアに保持した近接センサ感度データ（検出閾値および非検出閾値）とを比較判定して接触／非接触検知し、接触検知した場合にタッチ操作部１４ａ（タッチパネル）の操作入力を無効化する。
【００２５】
（３）動作
次に、図５を参照し、上記構成による携帯端末１００の制御部１０が実行する近接センサ感度調整設定処理の動作について説明する。本処理は、例えば端末装置１００の各部動作を設定するアプリの一部として、タッチパネル上に液晶保護シートを貼設した後のユーザ操作（近接センサ感度調整設定操作）に応じて実行される。
【００２６】
本処理が実行されると、制御部１０は図５に図示するステップＳＡ１に進み、表示部１３に「液晶保護シートを貼っていますか？」なる案内文を画面表示し、同様に画面表示された「ＹＥＳ」、「ＮＯ」各ボタンのタッチ操作を判断する。液晶保護シートを貼っておらず、ユーザが「ＮＯ」ボタンをタッチ操作した場合には、上記ステップＳＡ１の判断結果は「ＮＯ」になり、この場合、判定閾値テーブルＨＴに登録される初期値の検出閾値および非検出閾値がデフォルトとして用いられるので、何もせずに本処理を終える。
【００２７】
一方、タッチパネル上に液晶保護シートを貼設していれば、ユーザは「ＹＥＳ」ボタンをタッチ操作する。すると、上記ステップＳＡ１の判断結果が「ＹＥＳ」になり、ステップＳＡ２に進む。ステップＳＡ２では、表示部１３に「保護シートの種別を以下から選択してください」なる案内文と、保護シート種を表す各ボタン「Ａ＿光沢」、「Ｂ＿反射防止」、「Ｃ＿指紋防止」、「Ｄ＿覗き見防止」および「Ｅ＿その他」とを画面表示する。
【００２８】
そして、例えばユーザがボタン「Ａ＿光沢」をタッチ操作したとする。そうすると、制御部１０はステップＳＡ３に処理を進め、選択された保護シート種に対応する近接センサ判定閾値（検出閾値および非検出閾値）を閾値判定テーブルＨＴ（図３参照）から読み出し、読み出した検出閾値および非検出閾値を、近接センサ感度データとしてＲＡＭ１２のワークエリアに保持して本処理を終える。
【００２９】
したがって、ユーザがボタン「Ａ＿光沢」をタッチ操作した場合には、閾値判定テーブルＨＴから読み出される検出閾値０ｘＹ１および非検出閾値０ｘＹ２が近接センサ感度データとしてＲＡＭ１２のワークエリアに保持される。この場合、制御部１０は近接センサ部１７により検出される受光量（受光部の出力レベル）と、ＲＡＭ１２のワークエリアに保持される近接センサ感度データ（検出閾値０ｘＹ１および非検出閾値０ｘＹ２）とを比較判定して接触／非接触検知することになる。
【００３０】
このように、第１実施形態では、タッチパネル上に液晶保護シートを貼設した場合に、ユーザがその貼設した液晶保護シートの種別を選択すると、選択した液晶保護シートの種類に応じた近接センサ判定閾値（検出閾値および非検出閾値）を閾値判定テーブルＨＴから読み出し、読み出した近接センサ判定閾値（検出閾値および非検出閾値）と近接センサ部１７により検出される受光量（受光部の出力レベル）とを比較判定して接触／非接触検知する結果、タッチパネル上に液晶保護シートが貼設されても正確な接触検知を行うことが可能になる。
【００３１】
つまり、換言すれば、選択した液晶保護シートの種類に応じた近接センサ判定閾値（検出閾値および非検出閾値）を閾値判定テーブルＨＴから読み出すことで液晶保護シート貼設による近接センサ部１７の感度低下に伴う判定閾値変化を無くして正確な接触検知を可能にしている。
【００３２】
［第２実施形態］
次に、第２実施形態について説明する。第２実施形態による携帯端末１０の構成は、上述した第１実施形態と同一であるので、その説明については省略する。以下では、図６を参照して第２実施形態による近接センサ感度調整設定処理の動作について説明する。本処理は、第１実施形態と同様、タッチパネル上に液晶保護シートを貼設した後のユーザ操作（近接センサ感度調整設定操作）に応じて実行される。なお、第２実施形態では、液晶保護シートの厚みに応じた検出閾値／非検出閾値が判定閾値テーブルＨＴに記憶されているものとする。
【００３３】
本処理が実行されると、制御部１０は図６に図示するステップＳＢ１に進み、表示部１３に「液晶保護シートを貼っていますか？」なる案内文を画面表示し、同様に画面表示された「ＹＥＳ」、「ＮＯ」各ボタンのタッチ操作を判断する。液晶保護シートを貼っておらず、ユーザが「ＮＯ」ボタンをタッチ操作した場合には、上記ステップＳＢ１の判断結果は「ＮＯ」になり、この場合、判定閾値テーブルＨＴに登録される初期値の検出閾値および非検出閾値がデフォルトとして用いられるので、何もせずに本処理を終える。
【００３４】
一方、タッチパネル上に液晶保護シートを貼設していれば、ユーザは「ＹＥＳ」ボタンをタッチ操作する。すると、上記ステップＳＢ１の判断結果は「ＹＥＳ」になり、ステップＳＢ２に進む。ステップＳＢ２では、「貼られた液晶保護シートの厚みが０．１ｍｍ以下？」なる案内文を画面表示し、同様に画面表示された「ＹＥＳ」、「ＮＯ」各ボタンのタッチ操作を判断する。液晶保護シートの厚みが０．１ｍｍ以下であれば、ユーザは「ＹＥＳ」ボタンをタッチ操作し、これによりステップＳＢ２の判断結果は「ＹＥＳ」となり、本処理を終える。つまり、液晶保護シートの厚みが０．１ｍｍ以下では、近接センサ部１７の感度低下が極めて少なく、貼っていない状態と見なせる為、この場合も判定閾値テーブルＨＴに登録される初期値の検出閾値および非検出閾値がデフォルトとして用いられる。
【００３５】
一方、液晶保護シートの厚みが０．１ｍｍを超える場合には、ユーザが「ＮＯ」ボタンをタッチ操作し、これによりステップＳＢ２の判断結果は「ＮＯ」となり、ステップＳＢ３に進む。ステップＳＢ３では、表示部１３に「保護シートの厚さを以下から選択してください」なる案内文と、保護シートの厚さの区分を示す各ボタン「Ａ＿０．２ｍｍ」、「Ｂ＿０．３ｍｍ」、「Ｃ＿０．４ｍｍ」、「Ｄ＿０．５ｍｍ」および「Ｅ＿その他」とを画面表示する。
【００３６】
そして、例えばユーザがボタン「Ａ＿０．２ｍｍ」をタッチ操作したとする。そうすると、制御部１０はステップＳＢ４に処理を進め、選択された保護シートの厚さに対応する近接センサ判定閾値（検出閾値および非検出閾値）を閾値判定テーブルＨＴから読み出し、読み出した検出閾値および非検出閾値を、近接センサ感度データとしてＲＡＭ１２のワークエリアに保持して本処理を終える。
【００３７】
これにより、制御部１０は近接センサ部１７により検出される受光量（受光部の出力レベル）と、ＲＡＭ１２のワークエリアに保持される近接センサ感度データ（検出閾値および非検出閾値）とを比較判定して接触／非接触検知することになる。
【００３８】
このように、第２実施形態では、タッチパネル上に液晶保護シートを貼設した場合に、ユーザがその貼設した液晶保護シートの厚さを選択すると、選択した液晶保護シートの厚さに応じた近接センサ判定閾値（検出閾値および非検出閾値）を閾値判定テーブルＨＴから読み出し、読み出した近接センサ判定閾値（検出閾値および非検出閾値）と近接センサ部１７により検出される受光量（受光部の出力レベル）とを比較判定して接触／非接触検知する結果、タッチパネル上に液晶保護シートが貼設されても正確な接触検知を行うことが可能になる。
【００３９】
つまり、換言すれば、選択した液晶保護シートの厚さに応じた近接センサ判定閾値（検出閾値および非検出閾値）を閾値判定テーブルＨＴから読み出すことで液晶保護シート貼設による近接センサ部１７の感度低下に伴う判定閾値変化を無くして正確な接触検知を可能にしている。
【００４０】
［第３実施形態］
次に、第３実施形態について説明する。第３実施形態による携帯端末１０の構成は、前述の第１実施形態と同一であるので、その説明については省略する。以下では、図７を参照して第３実施形態による近接センサ感度調整設定処理の動作について説明する。本処理は、例えば端末装置１００の各部動作を設定するアプリの一部として、タッチパネル上に液晶保護シートを貼設した後のユーザ操作（近接センサ感度調整設定操作）に応じて実行される。
【００４１】
本処理が実行されると、制御部１０は図７に図示するステップＳＣ１に進み、表示部１３に「液晶保護シートを貼っていますか？」なる案内文を画面表示し、同様に画面表示された「ＹＥＳ」、「ＮＯ」各ボタンのタッチ操作を判断する。液晶保護シートを貼っておらず、ユーザが「ＮＯ」ボタンをタッチ操作した場合には、上記ステップＳＣ１の判断結果は「ＮＯ」になり、この場合、判定閾値テーブルＨＴに登録される初期値の検出閾値および非検出閾値がデフォルトとして用いられるので、何もせずに本処理を終える。
【００４２】
一方、タッチパネル上に液晶保護シートを貼設していれば、ユーザは「ＹＥＳ」ボタンをタッチ操作する。すると、上記ステップＳＣ１の判断結果は「ＹＥＳ」になり、ステップＳＣ２に進む。ステップＳＣ２では、表示部１３に「保護シートの色を以下から選択してください」なる案内文と、液晶保護シートの色を表す各ボタン「Ａ＿無色透明」、「Ｂ＿ピンク」、「Ｃ＿ブラック」および「Ｄ＿その他」とを画面表示する。
【００４３】
そして、例えばユーザがボタン「Ｂ＿ピンク」をタッチ操作したとする。そうすると、制御部１０はステップＳＣ３に処理を進め、選択された液晶保護シートの色に対応する近接センサ判定閾値（検出閾値および非検出閾値）を閾値判定テーブルＨＴから読み出し、読み出した検出閾値および非検出閾値を、近接センサ感度データとしてＲＡＭ１２のワークエリアに保持して本処理を終える。
【００４４】
これにより、制御部１０は近接センサ部１７により検出される受光量（受光部の出力レベル）と、ＲＡＭ１２のワークエリアに保持される近接センサ感度データ（検出閾値および非検出閾値）とを比較判定して接触／非接触検知することになる。
【００４５】
このように、第３実施形態では、タッチパネル上に液晶保護シートを貼設した場合に、ユーザがその貼設した液晶保護シートの色を選択すると、選択した液晶保護シートの色に応じた近接センサ判定閾値（検出閾値および非検出閾値）を閾値判定テーブルＨＴから読み出し、読み出した近接センサ判定閾値（検出閾値および非検出閾値）と近接センサ部１７により検出される受光量（受光部の出力レベル）とを比較判定して接触／非接触検知する結果、タッチパネル上に液晶保護シートが貼設されても正確な接触検知を行うことが可能になる。
【００４６】
つまり、換言すれば、選択した液晶保護シートの色に応じた近接センサ判定閾値（検出閾値および非検出閾値）を閾値判定テーブルＨＴから読み出すことで液晶保護シート貼設による近接センサ部１７の感度低下に伴う判定閾値変化を無くして正確な接触検知を可能にしている。
【００４７】
なお、上述した第１〜第３実施形態では、端末装置１００の各部動作を設定するアプリの一部として、タッチパネル上に液晶保護シートを貼設した後のユーザ操作（近接センサ感度調整設定操作）によって近接センサ感度調整設定処理を実行する態様としたが、これに限らず、例えばタッチパネル操作が有効となる待受画面表示状態において所定時間以上連続して接触検知した場合に、液晶保護シート貼設による誤判定と見なし、自動的に近接センサ感度調整設定処理を実行する態様としてもよい。
【００４８】
また、近接センサ感度調整設定処理を実行して、液晶保護シート貼設による近接センサ部１７の感度低下に伴う判定閾値変化を無くした場合であっても、なお所定時間以上連続して接触検知する誤判定状態が継続する場合には、赤外線検出する近接センサ部１７の開口部が液晶保護シートで覆われないようにユーザに注意を促すメッセージ、液晶保護シートに付着した汚れを清掃するようにユーザに促すメッセージあるいは近接センサ部１７の開口部を塞がないよう液晶保護シートに穴開け加工するよう指示するメッセージ（解決策）などを表示部１３に画面表示して報知したり、あるいは近接センサ部１７の開口部の位置を明示する目印を設ける対策も有効である。
【００４９】
なお、本発明は上述した第１〜第３実施形態に限定されるものではなく、本発明の範囲で種々変形することが可能である。一例として挙げれば、本実施形態における端末装置は、携帯電話やスマートフォンに限らず、タッチパネルおよび赤外線方式の近接センサを備えるゲーム装置、タブレットＰＣ、ラップトップ／ノートＰＣなどの電子機器にも適用可能であることは言うまでもない。
【００５０】
［付記］
次に、本発明の特徴を付記する。なお、上記の実施形態／変形例の一部又は全部は、以下の付記のように記載され得るが、その記載に限定されるものではない。
【００５１】
（付記１）
タッチパネルに近接する物体を赤外線方式で検出する検出手段と、
前記タッチパネルに貼設される保護シートの属性毎の判定閾値を記憶する記憶手段と、
前記タッチパネルに貼設した保護シートの属性を選択する選択手段と、
前記選択手段により選択された保護シートの属性に対応した判定閾値を、前記記憶手段から読み出し、読み出した判定閾値と前記検出手段の検出出力とを比較して接触／非接触検知する検知手段と
を具備することを特徴とする端末装置。
【００５２】
（付記２）
前記記憶手段が、前記タッチパネルに貼設される保護シートの種別毎の判定閾値を記憶し、
前記選択手段は、前記タッチパネルに貼設した保護シートの種別を選択し、
前記検知手段は、前記選択手段により選択された保護シートの種別に対応した判定閾値を、前記記憶手段から読み出し、読み出した判定閾値と前記検出手段の検出出力とを比較して接触／非接触検知することを特徴とする付記１記載の端末装置。
【００５３】
（付記３）
前記記憶手段は、前記タッチパネルに貼設される保護シートの厚さ毎の判定閾値を記憶し、
前記選択手段は、前記タッチパネルに貼設した保護シートの厚さを選択し、
前記検知手段は、前記選択手段により選択された保護シートの厚さに対応した判定閾値を、前記記憶手段から読み出し、読み出した判定閾値と前記検出手段の検出出力とを比較して接触／非接触検知することを特徴とする付記１記載の端末装置。
【００５４】
（付記４）
前記記憶手段は、前記タッチパネルに貼設される保護シートの色毎の判定閾値を記憶し、
前記選択手段は、前記タッチパネルに貼設した保護シートの厚さを選択し、
前記検知手段は、前記選択手段により選択された保護シートの厚さに対応した判定閾値を、前記記憶手段から読み出し、読み出した判定閾値と前記検出手段の検出出力とを比較して接触／非接触検知することを特徴とする付記１記載の端末装置。
【００５５】
（付記５）
前記記憶手段に記憶される判定閾値は、接触の有無を判定する為の第１の判定閾値と、非接触の有無を判定する為の第２の判定閾値とから構成されることを特徴とする付記１乃至４の何れかに記載の端末装置。
【００５６】
（付記６）
前記記憶手段は、前記タッチパネルに保護シートが貼設されていない場合の初期判定閾値を記憶し、
前記タッチパネルに保護シートが貼設されているか否かを判別する判別手段を更に備え、
前記判別手段により前記タッチパネルに保護シートが貼設されていないと判別された場合、前記検知手段は、前記記憶手段から読み出した初期判定閾値と前記検出手段の検出出力とを比較して接触／非接触検知することを特徴とする付記１乃至５の何れかに記載の端末装置。
【００５７】
（付記７）
タッチパネルに近接する物体を赤外線方式で検出する検出過程と、
前記タッチパネルに貼設した保護シートの属性を選択する選択過程と、
予め前記タッチパネルに貼設される保護シートの属性毎の判定閾値を記憶しておき、その中から前記選択過程で選択された保護シートの属性に対応した判定閾値を読み出し、読み出した判定閾値と前記検出過程で得られる検出出力とを比較して接触／非接触検知する検知過程と
を具備することを特徴とする近接センサ感度調整方法。
【００５８】
（付記８）
コンピュータに、
タッチパネルに近接する物体を赤外線方式で検出する検出ステップと、
前記タッチパネルに貼設した保護シートの属性を選択する選択ステップと、
予め前記タッチパネルに貼設される保護シートの属性毎の判定閾値を記憶しておき、その中から前記選択ステップで選択された保護シートの属性に対応した判定閾値を読み出し、読み出した判定閾値と前記検出ステップで得られる検出出力とを比較して接触／非接触検知する検知ステップと
を実行させることを特徴とするプログラム。
【符号の説明】
【００５９】
１０  制御部
１１  ＲＯＭ
１２  ＲＡＭ
１３  表示部
１４  操作部
１４ａ  タッチ操作部
１４ｂ  キー操作部
１５  無線通信送受信部
１６  音声信号処理部
１７  近接センサ部
１００  端末装置
【図１】
2013206032.tif 000003
【図２】
2013206032.tif 000004
【図３】
2013206032.tif 000005
【図４】
2013206032.tif 000006
【図５】
2013206032.tif 000007
【図６】
2013206032.tif 000008
【図７】
2013206032.tif 000009
【図８】
2013206032.tif 000010